(57)【特許請求の範囲】
【請求項１】
柱と梁を接合して構成される建物ユニットの上下梁間に取付けられるとともに、外壁が固定される間柱の固定構造において、
固定金具の相交差する２つの中間片が柱の相交差する２つの側面に粘着テープ等で添設され、該固定金具の２つの中間片のそれぞれから突出されている両側の突出片が柱の両側の間柱に取付けられ、両側の間柱同士を互いに支持可能にしてなり、
前記柱の外側面に添設されたコーナー外壁パネルが両側の間柱に取付けられる前記固定金具の突出片にリベット止めされることを特徴とする間柱の固定構造。
【請求項２】
前記固定金具の突出片が間柱とリベット止めされてなる請求項１に記載の間柱の固定構造。
【請求項３】
前記間柱がアングル材からなる請求項１又は２に記載の間柱の固定構造。
【請求項４】
前記固定金具の各中間片が柱の相交差する２つの側面の当該交差方向に沿う全面に接してなる請求項１〜３のいずれかに記載の間柱の固定構造。
【請求項５】
前記固定金具の各突出片と取付けられた間柱が、当該突出片が突出している中間片によって添設される柱の側面に交差する側面であって、かつ各中間片が添設することのない柱の側面と同一面上に設定されてなる請求項４に記載の間柱の固定構造。
【請求項６】
請求項１〜５のいずれかに記載の間柱の固定構造が適用された建物ユニットを用いて構築されてなるユニット建物。
【請求項７】
柱と梁を接合して構成される建物ユニットの上下梁間に取付けられるとともに、外壁が固定される間柱の固定方法において、
固定金具が両側の間柱に対し仮置きされた状態で、該固定金具の相交差する２つの中間片が柱の相交差する２つの側面に粘着テープ等で仮付けされて添設され、仮置きされた後に両側の突出片と間柱とが固定されることを特徴とする間柱の固定方法。
【発明の詳細な説明】
【技術分野】
【０００１】
本発明は間柱の固定構造に関する。
【背景技術】
【０００２】
従来、例えば特許文献１に記載の如く、柱と梁を接合して構成される建物ユニットの上下梁間に間柱を取付け、この間柱に外壁を固定してなるものがある。
【０００３】
特許文献１に記載の間柱の固定構造では、固定金具の１つの中間片の両側に突出片を設け、固定金具の一方の突出片が間柱にボルト止めされ、固定金具の中間片と他方の突出片が柱の相交差する２つの側面に添設されている。
【先行技術文献】
【特許文献】
【０００４】
【特許文献１】特開平11-107376
【発明の概要】
【発明が解決しようとする課題】
【０００５】
特許文献１に記載の間柱の固定構造では、柱の相交差する２つの側面に添設されている固定金具の他方の突出片は柱の１つの側面の局部域だけに単に引掛け状態で添設しているに過ぎない。従って、固定金具の中間片と他方の突出片を柱の２つの側面に添設したとき、他方の突出片の先端が柱の側面から浮き上がり、当該柱の側面に対し隙間なく添設しないおそれがある。このため、間柱に荷重が加わったときに、固定金具が間柱を安定的に支持できず、間柱のねじれ変形による外壁取付面の面精度の悪化、ひいては外壁の変形を生ずるおそれがある。
【０００６】
また、特許文献１に記載の間柱の固定構造では、固定金具の一方の突出片だけが柱の一側の間柱にボルト止めされ、固定金具の他方の突出片は柱の他側の間柱に取付けられる如くがない。このため、間柱に荷重が加わったときに、柱に添設されているだけの固定金具のみによって間柱を確実には支持できず、間柱のねじれ変形による外壁取付面の面精度の悪化、ひいては外壁の変形を生ずるおそれがある。また、出隅部で、柱の両側の間柱のそれぞれに固定金具を用いる場合、両固定金具のそれぞれを柱の側面に添設しようとするとき、両固定金具が互いに干渉することを回避するため、両固定金具を柱の高さ方向で千鳥配置する必要がある。
【０００７】
本発明の課題は、間柱の固定構造において、間柱に荷重が加わっても間柱をねじれ変形させず、間柱の外壁取付面の面精度を安定化し、ひいては外壁の変形を防止するとともに、出隅部で単一の固定金具を用いて柱の両側の間柱を支持することにある。
【課題を解決するための手段】
【０００８】
請求項１に係る発明は、柱と梁を接合して構成される建物ユニットの上下梁間に取付けられるとともに、外壁が固定される間柱の固定構造において、固定金具の相交差する２つの中間片が柱の相交差する２つの側面に粘着テープ等で添設され、該固定金具の２つの中間片のそれぞれから突出されている両側の突出片が柱の両側の間柱に取付けられ、両側の間柱同士を互いに支持可能にしてなり、前記柱の外側面に添設されたコーナー外壁パネルが両側の間柱に取付けられる前記固定金具の突出片にリベット止めされるようにしたものである。
【０００９】
請求項２に係る発明は、請求項１に係る発明において更に、前記固定金具の突出片が間柱とリベット止めされてなるようにしたものである。
【００１０】
請求項３に係る発明は、請求項１又は２に係る発明において更に、前記間柱がアングル材からなるようにしたものである。
【００１１】
請求項４に係る発明は、請求項１〜３のいずれかに係る発明において更に、前記固定金具の各中間片が柱の相交差する２つの側面の当該交差方向に沿う全面に接してなるようにしたものである。
【００１２】
請求項５に係る発明は、請求項４に係る発明において更に、前記固定金具の各突出片と取付けられた間柱が、当該突出片が突出している中間片によって添設される柱の側面に交差する側面であって、かつ各中間片が添設することのない柱の側面と同一面上に設定されてなるようにしたものである。
【００１３】
請求項６に係る発明は、請求項１〜５のいずれかに記載の間柱の固定構造が適用された建物ユニットを用いて構築されてなるユニット建物である。
請求項７に係る発明は、柱と梁を接合して構成される建物ユニットの上下梁間に取付けられるとともに、外壁が固定される間柱の固定方法において、固定金具が両側の間柱に対し仮置きされた状態で、該固定金具の相交差する２つの中間片が柱の相交差する２つの側面に粘着テープ等で仮付けされて添設され、仮置きされた後に両側の突出片と間柱とが固定されるようにしたものである。
【発明の効果】
【００１４】
（請求項１）
(a)固定金具の相交差する２つの中間片が柱の相交差する２つの側面に添設され、該固定金具の２つの中間片のそれぞれから突出されている両側の突出片が柱の両側の間柱に取付けられる。
【００１５】
従って、固定金具は２つの中間片を柱の２つの側面のそれぞれの全域に添設するものになり、２つの中間片を柱の２つの側面のそれぞれに対し隙間なく添設するものになる。このため、柱に対して正しく位置決めされた固定金具により間柱を安定的に支持し、間柱に荷重が加わっても、間柱のねじれ変形を防止し、間柱の外壁取付面の面精度を安定化し、ひいては外壁の変形を防止できる。
【００１６】
固定金具の両方の突出片が柱の両側の間柱のそれぞれに取付けられる。このため、間柱に荷重が加わったとき、間柱は柱に添設されている固定金具により支持されるとともに、両側の間柱同士でも互いに支持し合うものになる。間柱に荷重が加わっても、間柱のねじれ変形を防止し、間柱の外壁取付面の面精度を安定化し、ひいては外壁の変形を防止できる。
【００１７】
(b)固定金具は柱に溶接されることを必須としないから、柱の上下端に接合される上梁と下梁の存在に関係なく、柱の上下端寄りに添設できる。即ち、間柱が固定される固定金具を柱の上下端寄りに添設でき、該固定金具を柱の中間部にだけ添設するものに比し、間柱に作用する荷重による該間柱のねじれ変形を十分に防止できる。
【００１８】
(c)出隅部で、単一の固定金具が両側の間柱に取付けられる両側の突出片を有する。従って、両側の間柱のそれぞれに取付けられる２個の固定金具を柱の高さ方向で千鳥配置する如くがない。
【００１９】
(d)前記柱の外側面に添設されたコーナー外壁パネルが両側の間柱に取付けられる前記固定金具の突出片にリベット止めされる。固定金具とコーナー外壁パネルとの取付作業性を向上できる。
（請求項７）
(e)前記固定金具が、両側の間柱に対し仮置きされた状態で、２つの中間片が柱の相交差する２つの側面に添設され、両側の突出片と間柱とが固定される。固定金具は両側の間柱に対し仮置きされた状態で、柱に対する正しい添設位置に位置付けられ、同時に両側の間柱との取付位置も正しく調整された状態で、それらの間柱と固定される。固定金具の取付作業性を向上し、固定金具と間柱との取付位置精度も向上できる。
【００２０】
（請求項２）
(f)前記固定金具の突出片が間柱とリベット止めされる。固定金具と間柱との取付作業性を向上できる。
【００２１】
（請求項３）
(g)前記間柱がアングル材からなるとき、上述(a)〜(f)の固定金具によりアングル材からなる間柱の変形を確実に防止し、ひいては外壁の変形を防止できる。
【００２２】
（請求項４）
(h)前記固定金具の各中間片が柱の相交差する２つの側面の当該交差方向に沿う全面に接してなるものとすることにより、柱に対して一層正しく位置決めされた固定金具により間柱を安定的に支持できる。
（請求項５）
(i)前記固定金具の各突出片と取付けられた間柱が、当該突出片が突出している中間片によって添設される柱の側面に交差する側面であって、かつ各中間片が添設することのない柱の側面と同一面上に設定される。
【００２３】
（請求項６）
(j)上述の間柱の固定構造が適用された建物ユニットを用いて構築されてなるユニット建物において、間柱に荷重が加わっても、間柱のねじれ変形を防止し、間柱の外壁取付面の面精度を安定化し、ひいては外壁の変形を防止できる。
【図面の簡単な説明】
【００２４】
【図１】図１は固定金具を示し、（Ａ）は断面図、（Ｂ）は側面図である。
【図２】図２は柱と間柱と固定金具を示す断面図である。
【図３】図３は間柱に外壁を取付けた状態を示す断面図である。
【図４】図４は柱と間柱と固定金具を示す斜視図である。
【図５】図５は固定金具を示す斜視図である。
【発明を実施するための形態】
【００２５】
本発明のユニット建物は、複数の建物ユニットを左右上下に隣接設置して構築されるものであり、建物ユニットは、例えば特開2001-40777に記載される如くに、柱と上梁と下梁を接合して構成された箱形骨組構造体である。
【００２６】
図３、図４は建物ユニット１０のコーナー部（出隅部）を示したものであり、柱１１の上端部にジョイントピース１２Ａ（不図示）を介して上梁１２（不図示）を接合し、柱１１の下端部にジョイントピース１３Ａを介して下梁１３を接合している。そして、上梁１２と下梁１３の間にコーナー間柱１４、標準間柱１５（不図示）を取付け、コーナー間柱１４、標準間柱１５にコーナー外壁パネル１６、標準外壁パネル１７を固定している。
【００２７】
コーナー間柱１４は、柱１１に近接するコーナー間柱であり、概ねＬ字状の形鋼等のアングル材からなり、高さ方向の適宜位置に木レンガ１４Ｆを固定的に備える。他の標準間柱１５（不図示）は角鋼管からなる。
【００２８】
コーナー外壁パネル１６は、図２に示す如く、標準外壁パネル１７よりも幅狭の、木片セメント板等からなる面材１６Ａの２枚をＬ字状に接合し、その裏面の側縁部に金属フレーム１６Ｂを設けたものであり、金属フレーム１６Ｂの一端を外壁パネル１６の側縁より側方に延出させた延出部１６Ｃとしている。標準外壁パネル１７は木片セメント板等からなる面材１７Ａの裏面の側縁部に角筒状の金属フレーム１７Ｂを設けたものである。
【００２９】
建物ユニット１０は、間柱１４に荷重が加わっても間柱１４をねじれ変形させず、間柱１４の外壁取付面の面精度を安定化し、ひいてはコーナー外壁パネル１６、標準外壁パネル１７の変形を防止するため、間柱１４の長手方向において少なくとも上下両端寄りを含む複数位置に以下の固定金具２０が取付けられる。
【００３０】
固定金具２０は、図１、図５に示す如く、鋼板等の金属板の曲げ成形体であり、直角に相交差する２つの中間片２１、２２と、２つの中間片２１、２２のそれぞれから外方に直角に交差する折曲げ状態で突出する両側の突出片２３、２４を有する。
【００３１】
各突出片２３、２４は、それらの突出片２３、２４に間柱１４及び標準外壁パネル１７の金属フレーム１７Ｂを取付けるデイジーリベット２７のためのリベット固定用下孔２５を備える。また、各突出片２３、２４は、間柱１４にコーナー外壁パネル１６の金属フレーム１６Ｂの延出部１６Ｃを取付けるポップリベット２８のためのリベット遊挿用下孔２６を備える。リベット遊挿用下孔２６は、ポップリベット２８の頭部が遊挿される大径孔をなす。尚、間柱１４はポップリベット２８のための下孔を備える。
【００３２】
尚、固定金具２０は、中間片２１と突出片２３の折り曲げ部、中間片２２と突出片２４の折り曲げ部を補強するために、この折り曲げ部で板を一面側から他面側にプレス押出し成形してなる凸状補強リブＲを備える。補強リブＲはリベット遊挿用下孔２６を挟む上下２カ所に設けることができる。
【００３３】
固定金具２０を用いた間柱１４の固定手順は以下の通りである。
(1)柱１１の両側に近接する位置で、柱１１の両側の間柱１４がそれらの上下端部を建物ユニット１０の上梁１２と下梁１３のそれぞれに取付けられる。図４は、間柱１４の下端に設けた下取付片１４Ａが下梁１３のジョイントピース１３Ａにボルト止めされる状態を示している（ボルトは図示省略）。同様に、間柱１４の上端に設けた上取付片が上梁１２のジョイントピース１２Ａにボルト止めされる。尚、間柱１４は前述の木レンガ１４Ｆを備える。
【００３４】
(2)固定金具２０は、上述(1)により柱１１の両側に立設された間柱１４に先立って柱１１の面上に粘着テープ等で仮付けされる。又は、この粘着テープ等で柱１１の面上に仮付けされた後、間柱１４、１４の長手方向で少なくとも上下両端寄りの２位置を含む複数位置のそれぞれにおいて、同一高さ位置に取付けられている木レンガ１４Ｆ、又は柱１１に沿う最下位部では床の上に、固定金具２０を仮置きする。
【００３５】
柱１１、間柱１４の少なくとも上下両端寄りの２位置を含む複数位置のそれぞれにおける固定金具２０の上述の仮置き状態で、図２、図４（図４は木レンガ１４Ｆを図示省略している）に記載される如く、固定金具２０の相交差する中間片２１、２２が柱１１の相直交して交差する２つの内側面（建物ユニット１０の内部に臨む面）に押付けられて添設され、両側の突出片２３、２４が柱１１の両側の間柱１４、１４の内側面（建物ユニット１０の内部に臨む面）に添設される。
【００３６】
(3)標準外壁パネル１７を柱１１の両側の間柱１４、１５の外側面（建物ユニット１０の外部に臨む面）まわりに持ち込み、標準外壁パネル１７の金属フレーム１７Ｂを間柱１４、１５の外側面に添設する。このとき、間柱１４、１５の外側面の全面に防水シート１８が貼着されている。
【００３７】
固定金具２０が、柱１１の２つの内側面に中間片２１、２２を添設し、かつ両側の間柱１４の内側面に突出片２３、２４を添設し、かつ柱１１、間柱１４に対して必要な位置調整を施されて位置決めされる。固定金具２０の柱１１、間柱１４に対するこの位置決め状態で、図３に示す如く、標準外壁パネル１７を間柱１４、１５に対して正しく位置決めし、固定金具２０の突出片２３、２４に設けてあるリベット固定用下孔２５にそれらの突出片２３、２４の内側面（建物ユニット１０の内部に臨む面）から刺通されるデイジーリベット２７により、それらの突出片２３、２４に対し両側の間柱１４、標準外壁パネル１７の金属フレーム１７Ｂを共にリベットする。標準外壁パネル１７の他の金属フレーム１７Ｂも他の間柱１５にリベット止めされる。
【００３８】
(4)コーナー外壁パネル１６を柱１１の相交差する２つの外側面（建物ユニット１０の外部に臨む面）まわりに持ち込み、コーナー外壁パネル１６の金属フレーム１６Ｂを柱１１の外側面に添設し、金属フレーム１６Ｂの延出部１６Ｃを間柱１４の外側面（建物ユニット１０の外部に臨む面）に添設する。このとき、間柱１４の外側面には上述(3)の防水シート１８が貼着されている。
【００３９】
コーナー外壁パネル１６を柱１１とその両側の間柱１４に対して正しく位置決めし、図３に示す如く、固定金具２０の突出片２３、２４に設けてあるリベット遊挿用下孔２６にそれらの突出片２３、２４の内側面（建物ユニット１０の内部に臨む面）から遊挿されるポップリベット２８により、両側の間柱１４のそれぞれに対しコーナー外壁パネル１６の金属フレーム１６Ｂの延出部１６Ｃをリベット止めする。
【００４０】
(5)コーナー外壁パネル１６と標準外壁パネル１７の目地にシール部材３０を装填する。
尚、固定金具２０の中間片２１、２２は、柱１１に固定的に取付けられることを必須としない。但し、固定金具２０の突出片２３、２４が上述(3)により両側の間柱１４に取付けられた後、固定金具２０は柱１１にボルト止め、リベット止め、又は溶接等により固定されても良い。
【００４１】
本実施例によれば以下の作用効果を奏する。
(a)固定金具２０の相交差する２つの中間片２１、２２が柱１１の相交差する２つの側面に添設され、該固定金具２０の２つの中間片２１、２２のそれぞれから突出されている両側の突出片２３、２４が柱１１の両側の間柱１４に取付けられる。
【００４２】
従って、固定金具２０は２つの中間片２１、２２を柱１１の２つの側面のそれぞれの全域に添設するものになり、２つの中間片２１、２２を柱１１の２つの側面のそれぞれに対し隙間なく添設するものになる。このため、柱１１に対して正しく位置決めされた固定金具２０により間柱１４を安定的に支持し、間柱１４に荷重が加わっても、間柱１４のねじれ変形を防止し、間柱１４の外壁取付面の面精度を安定化し、ひいては外壁パネル１６、１７の変形を防止できる。
【００４３】
固定金具２０の両方の突出片２３、２４が柱１１の両側の間柱１４のそれぞれに取付けられる。このため、間柱１４に荷重が加わったとき、間柱１４は柱１１に添設されている固定金具２０により支持されるとともに、両側の間柱１４同士でも互いに支持し合うものになる。間柱１４に荷重が加わっても、間柱１４のねじれ変形を防止し、間柱１４の外壁取付面の面精度を安定化し、ひいては外壁パネル１６、１７の変形を防止できる。
【００４４】
(b)固定金具２０は柱１１に溶接されることを必須としないから、柱１１の上下端に接合される上梁１２と下梁１３の存在に関係なく、柱１１の上下端寄りに添設できる。即ち、間柱１４が固定される固定金具２０を柱１１の上下端寄りに添設でき、該固定金具２０を柱１１の中間部にだけ添設するものに比し、間柱１４に作用する荷重による該間柱１４のねじれ変形を十分に防止できる。
【００４５】
(c)出隅部で、単一の固定金具２０が両側の間柱１４に取付けられる両側の突出片２３、２４を有する。従って、両側の間柱１４のそれぞれに取付けられる２個の固定金具を柱１１の高さ方向で千鳥配置する如くがない。
【００４６】
(d)前記固定金具２０が、両側の間柱１４に取付けられている木レンガ１４Ｆの上に置かれた状態で、２つの中間片２１、２２が柱１１の相交差する２つの側面に添設され、両側の突出片２３、２４と間柱１４とが固定される。固定金具２０は両側の間柱１４が備える木レンガ１４Ｆに仮置きされた状態で、柱１１に対する正しい添設位置に位置付けられ、同時に両側の間柱１４との取付位置も正しく調整された状態で、それらの間柱１４と固定される。固定金具２０の取付作業性を向上し、固定金具２０と間柱１４との取付位置精度も向上できる。
【００４７】
(e)前記固定金具２０の突出片２３、２４が間柱１４とリベット止めされる。固定金具２０と間柱１４との取付作業性を向上できる。
【００４８】
(f)前記間柱１４がアングル材からなるとき、上述(a)〜(e)の固定金具２０によりアングル材からなる間柱１４の変形を確実に防止し、ひいては外壁パネル１６、１７の変形を防止できる。
【００４９】
(g)上述(a)〜(f)の固定金具２０を用いることにより、間柱１４に荷重が加わっても、間柱１４のねじれ変形を防止し、間柱１４の外壁取付面の面精度を安定化し、ひいては外壁パネル１６、１７の変形を防止できる。
【００５０】
(h)上述(a)〜(f)の建物ユニットを用いて構築されてなるユニット建物において、間柱１４に荷重が加わっても、間柱１４のねじれ変形を防止し、間柱１４の外壁取付面の面精度を安定化し、ひいては外壁パネル１６、１７の変形を防止できる。
【００５１】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００５２】
本発明は、柱と梁を接合して構成される建物ユニットの上下梁間に取付けられるとともに、外壁が固定される間柱の固定構造において、固定金具の相交差する２つの中間片が柱の相交差する２つの側面に添設され、該固定金具の２つの中間片のそれぞれから突出されている両側の突出片が柱の両側の間柱に取付けられる。これにより、間柱の固定構造において、間柱に荷重が加わっても間柱をねじれ変形させず、間柱の外壁取付面の面精度を安定化し、ひいては外壁の変形を防止することができる。
【符号の説明】
【００５３】
１０  建物ユニット
１１  柱
１３  下梁
１４  間柱
１４Ｆ  木レンガ
１６、１７  外壁パネル
２０  固定金具
２１、２２  中間片
２３、２４  突出片
【図１】
0006033534.tif 000002
【図２】
0006033534.tif 000003
【図３】
0006033534.tif 000004
【図４】
0006033534.tif 000005
【図５】
0006033534.tif 000006